(57)【要約】【課題】デジタルズームまたは再生ズーム時にズーム倍率を見た目でわかるようにするとともに、ズーム中心位置がどこであるかも容易に判断できるデジタルカメラを提供することを目的とする。【解決手段】ズーム拡大／縮小ボタン４４，４６および十字カーソルボタン３２を押圧操作することで、ＬＣＤ２８にはデジタルズーム領域Ｐ１が拡大枠Ｌ１とともに拡大されて表示される。拡大枠Ｌ１は、ＬＣＤ２８の表示画面を全画素領域Ｐと想定したときに、デジタルズーム領域Ｐ１の相対位置を示すもので、ＬＣＤ２８の表示画面に表示される画像と、拡大枠Ｌ１とを比較することで、撮影者はＣＣＤ５２にて取り込まれた全画素領域Ｐに対するデジタルズーム領域Ｐ１の拡大率（ズーム倍率）を見た目で把握できるとともに、拡大位置（ズーム中心位置）も容易に判断できる。【選択図】　　図６
2004023632.tif 000002
【特許請求の範囲】
【請求項１】
撮像素子における画像の取り込みが可能な全画素領域よりも小さい領域をデジタルズーム領域とし、該デジタルズーム領域内の画像を拡大表示するデジタルズーム機能を有するデジタルカメラにおいて、
デジタルズーム倍率を指示するズーム倍率指示手段と、
該ズーム倍率指示手段によって指示されたデジタルズーム倍率に基づいて、前記撮像素子の全画素領域から該デジタルズーム倍率に対応したデジタルズーム領域を切り出し、該デジタルズーム領域の画像を取り込む画像取込手段と、
該画像取込手段によって取り込んだ該デジタルズーム領域の画像を拡大表示する表示手段と、
前記ズーム倍率指示手段によって指示されたデジタルズーム倍率に基づいて、前記撮像素子の全画素領域に対する前記デジタルズーム領域の大きさおよび位置を示す拡大枠を前記表示手段に表示させる枠表示手段と、を備えたことを特徴とするデジタルカメラ。
【請求項２】
記録媒体に記録されている画像の全領域よりも小さい領域を再生ズーム領域とし、該再生ズーム領域内の画像を拡大表示する再生ズーム機能を有するデジタルカメラにおいて、
再生ズーム倍率を指示するズーム倍率指示手段と、
前記ズーム倍率指示手段によって指示された再生ズーム倍率に基づいて、前記記録媒体に記録されている画像の全領域から前記再生ズーム倍率に対応した再生ズーム領域を切り出し、該再生ズーム領域の画像を取り込む画像取込手段と、
前記画像取込手段によって取り込んだ該再生ズーム領域の画像を拡大表示する表示手段と、
前記ズーム倍率指示手段によって指示された再生ズーム倍率に基づいて、前記記録媒体に記録された画像の全領域に対する前記再生ズーム領域の大きさおよび位置を示す拡大枠を前記表示手段に表示させる枠表示手段と、を備えたことを特徴とするデジタルカメラ。
【請求項３】
記録媒体に記録されている画像の全領域よりも小さい領域を再生ズーム領域とし、該再生ズーム領域内の画像を拡大表示する再生ズーム機能を有するデジタルカメラにおいて、
再生ズーム倍率を指示するズーム倍率指示手段と、
再生ズームのズーム中心位置を指示するズーム中心位置指示手段と、
前記ズーム倍率指示手段および前記ズーム中心位置指示手段によって指示された再生ズーム倍率およびズーム中心位置に基づいて、前記記録媒体に記録されている画像の全領域から前記再生ズーム倍率およびズーム中心位置に対応した再生ズーム領域を切り出し、該再生ズーム領域の画像を取り込む画像取込手段と、
前記画像取込手段によって取り込んだ該再生ズーム領域の画像を拡大表示する表示手段と、
前記ズーム倍率指示手段および前記ズーム中心位置指示手段によって指示された再生ズーム倍率およびズーム中心位置に基づいて、前記記録媒体に記録された画像の全領域に対する前記再生ズーム領域の大きさおよび位置を示す拡大枠を前記表示手段に表示させる枠表示手段と、を備えたことを特徴とするデジタルカメラ。
【発明の詳細な説明】
【０００１】
【発明の属する技術分野】
本発明はデジタルカメラに係り、特に、デジタルズーム時のズーム倍率やズーム中心位置を視覚的に把握できるデジタルカメラに関する。
【０００２】
【従来の技術】
一般的なデジタルカメラには画像を表示するための液晶モニタ（ＬＣＤ）が設けられ、このＬＣＤに、撮像素子（ＣＣＤ）にて撮像された画像をリアルタイムで表示（以下：スルー動画という）させて、ＬＣＤを電子ファインダとして使用できる。撮影者は、ＬＣＤに表示されたスルー動画により撮影画角を決定することができ、シャッタボタンを押せば、その撮影画角の画像を記録媒体に記録（撮影）することができる（等倍撮影）。
【０００３】
また、ＣＣＤにおいて取り込み可能な領域、すなわち全画素領域よりも小さい領域をデジタルズーム領域として取得してＬＣＤに拡大表示させるとともに、この際に撮影者によってシャッタボタンが押されると、このデジタルズーム領域の画像を記録媒体に記録させるデジタルカメラも知られている（デジタルズーム機能）。
【０００４】
さらに、記録媒体から読み取った画像の全画素領域よりも小さい領域をデジタルズーム領域として取得してＬＣＤに拡大表示させるとともに（再生ズーム機能）、撮影者によってシャッタボタンが押されると、このデジタルズーム領域の画像を記録媒体に新たに記録させるデジタルカメラも知られている。
【０００５】
【発明が解決しようとする課題】
しかしながら、これらデジタルズーム機能や再生ズーム機能において、拡大された画像をＬＣＤにて表示させると、ＣＣＤにて取り込まれた全画素領域の画像（または記録媒体から読み取った全領域の画像）に対する大きさ（ズーム倍率）および位置（ズーム中心位置）が不明確となる欠点があった。すなわち、ズーム機能によってＬＣＤに拡大された画像を表示させると、拡大前の画像のどの部分をどの程度拡大したのかが把握できないという不具合があった。
【０００６】
本発明はこのような事情に鑑みてなされたもので、デジタルズームまたは再生ズーム時にズーム倍率を見た目でわかるようにするとともに、ズーム中心位置がどこであるかも容易に判断できるデジタルカメラを提供することを目的とする。
【０００７】
【課題を解決するための手段】
前記目的を達成するために、請求項１に記載の発明は、撮像素子における画像の取り込みが可能な全画素領域よりも小さい領域をデジタルズーム領域とし、該デジタルズーム領域内の画像を拡大表示するデジタルズーム機能を有するデジタルカメラにおいて、デジタルズーム倍率を指示するズーム倍率指示手段と、該ズーム倍率指示手段によって指示されたデジタルズーム倍率に基づいて、前記撮像素子の全画素領域から該デジタルズーム倍率に対応したデジタルズーム領域を切り出し、該デジタルズーム領域の画像を取り込む画像取込手段と、該画像取込手段によって取り込んだ該デジタルズーム領域の画像を拡大表示する表示手段と、前記ズーム倍率指示手段によって指示されたデジタルズーム倍率に基づいて、前記撮像素子の全画素領域に対する前記デジタルズーム領域の大きさおよび位置を示す拡大枠を前記表示手段に表示させる枠表示手段と、を備えたことを特徴とする。
【０００８】
本発明によれば、撮影時にデジタルズーム領域の大きさおよび位置を示す拡大枠を表示手段に表示することで、撮影者は撮像素子（ＣＣＤ）にて取り込まれた全画素領域の画像に対するズーム倍率を見た目で把握できるとともに、ズーム中心位置も容易に判断できる。
【０００９】
また、請求項２に記載の発明は、記録媒体に記録されている画像の全領域よりも小さい領域を再生ズーム領域とし、該再生ズーム領域内の画像を拡大表示する再生ズーム機能を有するデジタルカメラにおいて、再生ズーム倍率を指示するズーム倍率指示手段と、前記ズーム倍率指示手段によって指示された再生ズーム倍率に基づいて、前記記録媒体に記録されている画像の全領域から前記再生ズーム倍率に対応した再生ズーム領域を切り出し、該再生ズーム領域の画像を取り込む画像取込手段と、前記画像取込手段によって取り込んだ該再生ズーム領域の画像を拡大表示する表示手段と、前記ズーム倍率指示手段によって指示された再生ズーム倍率に基づいて、前記記録媒体に記録された画像の全領域に対する前記再生ズーム領域の大きさおよび位置を示す拡大枠を前記表示手段に表示させる枠表示手段と、を備えたことを特徴とする。
【００１０】
請求項２に記載の発明によれば、再生時に再生ズーム領域の大きさおよび位置を示す拡大枠を表示手段に表示することで、撮影者は記録媒体に記録された全領域の画像に対する再生ズーム倍率を見た目で把握できるとともに、ズーム中心位置も容易に判断できる。
【００１１】
さらに、請求項３に記載の発明は、記録媒体に記録されている画像の全領域よりも小さい領域を再生ズーム領域とし、該再生ズーム領域内の画像を拡大表示する再生ズーム機能を有するデジタルカメラにおいて、再生ズーム倍率を指示するズーム倍率指示手段と、再生ズームのズーム中心位置を指示するズーム中心位置指示手段と、前記ズーム倍率指示手段および前記ズーム中心位置指示手段によって指示された再生ズーム倍率およびズーム中心位置に基づいて、前記記録媒体に記録されている画像の全領域から前記再生ズーム倍率およびズーム中心位置に対応した再生ズーム領域を切り出し、該再生ズーム領域の画像を取り込む画像取込手段と、前記画像取込手段によって取り込んだ該再生ズーム領域の画像を拡大表示する表示手段と、前記ズーム倍率指示手段および前記ズーム中心位置指示手段によって指示された再生ズーム倍率およびズーム中心位置に基づいて、前記記録媒体に記録された画像の全領域に対する前記再生ズーム領域の大きさおよび位置を示す拡大枠を前記表示手段に表示させる枠表示手段と、を備えたことを特徴とする。
【００１２】
請求項３に記載の発明によれば、ズーム中心位置を指示するズーム中心位置指示手段が設けられているデジタルカメラにおいて、再生時に再生ズーム領域の大きさおよび位置を示す拡大枠を表示手段に表示することで、撮影者は記録媒体に記録された画像の全領域の画像に対する再生ズーム倍率を見た目で把握できるとともに、ズーム中心位置も容易に判断できる。
【００１３】
【発明の実施の形態】
以下、添付図面に従って本発明に係るデジタルカメラの好ましい実施の形態について詳説する。
【００１４】
図１乃至図３は、本発明が適用されるデジタルカメラの外観を示した正面図、平面図および背面図である。図１に示すようにデジタルカメラ１０の正面には、撮影レンズ１２、ファインダ窓１４、ストロボ１６、ストロボ調光センサー１８などが設けられており、また、デジタルカメラ１０の内部で撮影レンズ１２の結像位置には、図１において図示しないＣＣＤ（撮像素子）５２が配置されている。
【００１５】
図２に示すようにデジタルカメラ１０の上面には、シャッタボタン２２と電源スイッチ２４が設けられている。シャッタボタン２２は２段階式に構成され、シャッタボタン２２を軽く押して止める「半押し」の状態で自動ピント合わせ（ＡＦ）および自動露出制御（ＡＥ）が作動してＡＦとＡＥをロックし、「半押し」から更に押し込む「全押し」することで後述する撮影が行われる。
【００１６】
図３に示すようにデジタルカメラ１０の背面には、文字表示用液晶パネル２６、表示手段を構成する液晶モニタ（ＬＣＤ）２８、モードスイッチ３０、ズーム中心位置指示手段を構成する十字カーソルボタン３２、ファインダ３４、ズーム倍率指示手段を構成するズーム拡大／縮小ボタン４４，４６などが設けられている。
【００１７】
前記文字表示用液晶パネル２６は、カメラの状態や撮影モードなどに関する情報（いわば撮影ステータス）を表示するものであり、例えば、内蔵されているバッテリの残量チェック表示、撮影可能コマ数の表示、ストロボ発光有無の表示などが行われる。なお、文字表示用液晶パネル２６の横にはストロボ発光の有無を設定するストロボボタン３６やマクロ撮影を設定するマクロボタン３８が設けられている。
【００１８】
前記ＬＣＤ２８は主として画像を表示するもので、後述するように、撮影前に撮影画像の確認を行えるように撮影レンズ１２にて撮影された画像（スルー動画）を表示させ、また、デジタルカメラ１０に装填されたメモリカード６４（図４参照）から記録済みの画像を読み取って再生表示させるものである。なお、ＬＣＤ２８の上部には表示ボタン４２が配置され、ＬＣＤ２８の表示の有無をオン／オフ切り替えできる。
【００１９】
前記モードスイッチ３０は、十字カーソルボタン３２の外周に配置されたリング部材からなり、時計回転方向および反時計回転方向の両方向に回動自在となっている。このモードスイッチ３０は、カメラのモードを変更などするもので、このモードスイッチ３０を回動操作することにより、例えば、撮影を行う撮影モード、撮影した画像の再生を行う再生モードなど、各種設定モードの選択を行うことができる。
【００２０】
前記十字カーソルボタン３２は、上下左右のいずれかの縁部（上／下／左／右キー）を押圧することによって十字カーソルボタン３２が傾き、対応する４方向（上、下、右、左）の指示を入力できるようにしたもので、前述した設定モードの各種設定項目の選択や、設定内容の変更、再生コマの送り／戻しを指示する操作ボタンとして使用される。また、これに加えて十字カーソルボタン３２は、後述するズーム中心位置手段における操作部として用いられ、ズーム中心位置を十字カーソルボタン３２の押圧された４方向（上、下、右、左）に応じて移動させて、任意位置（撮影者の所望の位置）に移動できる。
【００２１】
前記ズーム拡大ボタン４４およびズーム縮小ボタン４６は、十字カーソルボタン３２に近接するように設けられ、これらは後述するズーム倍率指示手段における操作部として用いられる。ズーム拡大／縮小ボタン４４，４６によってデジタルズーム領域（再生ズーム領域）を変更して任意の大きさ（撮影者の所望のズーム倍率）に変更できる。
【００２２】
また、図３には示されていないが、デジタルカメラ１０の内部には、記録媒体としてメモリカード６４を装着するメモリスロットが設けられている。このメモリカード６４にデジタルカメラ１０に内蔵されたカードリーダ／ライタ装置（図４参照）６３によって、撮影された画像が画像データとして記録されて保存されるほか、記録済みの画像をメモリカード６４から読み取ることも可能である。なお、本実施の形態においては、メモリカード６４としては例えばスマートメディアが使用されるが、記録媒体としてＰＣカード、フラッシュメモリーカード、ＩＣカード、フロッピーディスク、光磁気ディスク（ＭＯ）などを用いてもよい。
【００２３】
図４は、上記デジタルカメラ１０の内部構成を示したブロック図である。デジタルカメラ１０は主としてズーム倍率指示手段およびズーム中心位置指示手段を構成する操作基板７０、中央処理装置（ＣＰＵ）５０、ＣＣＤ５２、アナログ信号処理部５４、枠表示手段および画像取込手段を構成するデジタル信号処理部５８、表示手段を構成する表示メモリ６６、ＬＣＤ２８、カードリーダライタ装置６３、メモリカード６４などから構成される。
【００２４】
前記操作基板７０は、図１乃至図３に示した各種操作部材の夫々と回路接続されており、撮影者によるこれら操作部材の操作（例えばモードスイッチ３０の回転操作など）に基づいて、ＣＰＵ５０に指示信号を出力する。とくに、操作基板７０はズーム拡大／縮小ボタン４４，４６、十字カーソルボタン３２と回路接続されており、ズーム拡大ボタン４４の押圧操作によって、操作基板７０からＣＰＵ５０にズーム倍率の指示信号を出力するほか、後述するように操作基板７０からＣＰＵ５０に、各ボタンに対応した指示信号を出力する。なお、図４においてはこれらズーム拡大ボタン４４，ズーム縮小ボタン４６、十字カーソルボタン３２を例として示し、他の操作部材はその表記を省略する。
【００２５】
前記ＣＰＵ５０は、操作基板７０からの指示信号の入力に基づいて、デジタル信号処理部５８に制御信号を出力するとともに、各回路を総括的に制御する。
【００２６】
前記ＣＣＤ（撮像素子）５２は、撮影レンズ１２から取り込まれて結像された被写体光を、入射光量に応じた量の信号電荷に変換する。この信号電荷は電圧信号（画像信号）として順次ＣＣＤ５２から読み出されて、アナログ信号処理部５４に加えられる。なお、撮像素子としてはこのＣＣＤに限らず、後述するＣＭＯＳイメージセンサーなどを用いてもよい。
【００２７】
前記アナログ信号処理部５４は、ＣＣＤ５２から加えられた画像信号にサンプリングやホワイトバランス調整などの所要のアナログ処理を施す。また、アナログ処理された画像信号をＡ／Ｄ変換器５６によって画像データ（デジタルデータ）に変換させ、デジタル信号処理部５８に出力させる。なお、上記ＣＣＤ５２、アナログ信号処理部５４およびＡ／Ｄ変換器５６は、タイミングジェネレータ５７からのタイミング信号により同期して動作される。
【００２８】
前記デジタル信号処理部５８は、アナログ信号処理部５４（Ａ／Ｄ変換器５６）から入力された画像データ（ＣＣＤ５２の全画素領域の画像データ）に、必要に応じてガンマ補正などのデジタル処理を施し、この画像データを表示メモリ６６（メモリ６０）に出力する。また、ＣＰＵ５０からズーム中心位置およびズーム倍率を制御する制御信号がデジタル信号処理部５８に入力されることで、前述したガンマ補正などのデジタル処理に加えて、画像データから該ズーム中心位置を中心とした該ズーム倍率の画像データを切り出して１画面分の画像を生成し、この画像をデジタルズーム領域の画像として取り込むデジタルズーム処理が行われる。また、枠表示手段を構成するデジタル信号処理部５８では、デジタルズーム処理された画像データに対して拡大枠の画像データの付加を行う。この拡大枠は、ＣＣＤ５２によって撮像された全画素領域（または記録媒体に記録された画像の全領域）に対するデジタルズーム領域（撮影者によって十字カーソルボタン３２、ズーム拡大／縮小ボタン４４，４６を操作して指示される）に基づいて、デジタルズーム領域の大きさおよび位置を全画素領域（または全領域）に対して相対的に示したものである。拡大枠が付加された画像データは表示メモリ６６に出力される。
【００２９】
前記メモリカード６４は画像データを記録保存する。モードスイッチ３０（図３参照）を撮影モードとし、シャッタボタン２２（図２参照）の押圧操作による記録指示入力があると、ＣＰＵ５０からデジタル信号処理部５８に制御信号が出力され、ＣＣＤ５２から１コマ分の画像データが読み込まれ、デジタル信号処理部５８にて上述したデジタル処理またはデジタルズーム処理が施された後、この画像データがメモリ６０に書き込まれる。なお、メモリ６０に書き込まれる画像データには、拡大枠の付加は行われない。メモリ６０に書き込まれた画像データは圧縮伸張回路６２によって圧縮処理されて、カードリーダ／ライタ装置６３によってメモリカード６４に記録されて保存される。
【００３０】
前記ＬＣＤ２８は、表示メモリ６６に書き込まれた画像（スルー動画）を表示する。モードスイッチ３０を撮影モードとし、表示ボタン４２によってスルー動画の表示をオンにすると（図３参照）、デジタル信号処理部５８にはＣＣＤ５２から画像データが連続して読み込まれ、デジタル信号処理部５８によるデジタル処理など（デジタルズーム処理や拡大枠の付加）が連続して画像データに施された後、その画像データが表示メモリ６６に書き込まれる。表示メモリ６６の画像データは順次新しく読み込まれた画像データによって書き換えられ、これによりＬＣＤ２８にてスルー動画が表示される。また、ＬＣＤ２８には、メモリカード６４に記録保存されている画像も表示できる。モードスイッチ３０を再生モードとし、所定の操作によってメモリカード６４に記録されたいずれかの画像データの再生を指定すると、その画像データがメモリカード６４からカードリーダ／ライタ装置６３によって読み出され、圧縮伸張回路６２によって伸張処理された後、デジタル信号処理部５８にてデジタル処理などが行われ、表示メモリ６６を介してＬＣＤ２８に表示される。なお、ＬＣＤ２８は画角が撮影者に把握できればよいので、一般的にパソコンなどで用いられる液晶モニタと比較して、画素数の少ないもの（解像度の低いもの）を用いてもよい。これに伴い、デジタル信号処理部５８から表示メモリ６６に書き込まれる画像データも、画像データのデータ数を間引いた解像度の低いものを用いることができる。
【００３１】
このような構成のデジタルカメラ１０によって、デジタル信号処理部５８においてデジタル処理などが行なわれた画像データはＬＣＤ２８にて表示され、撮影者は、ＬＣＤ２８にてＣＣＤの全画素領域の画像を確認できる（等倍撮影）。また、撮影者によって十字カーソルボタン３２またはズーム拡大／縮小ボタン４４，４６を押圧操作されると、デジタル信号処理部５８においてデジタルズーム処理が行なわれ、拡大枠が付加された画像データがＬＣＤ２８にて表示され、撮影者は、ＬＣＤ２８にてズーム倍率およびズーム中心位置を確認できる（デジタルズーム機能）。さらに、メモリカード６４に記録保存されている画像データに対し、デジタル信号処理部５８においてデジタル処理が行なわれ、撮影者はＬＣＤ２８にてメモリカード６４に記録保存されている画像データを確認できる（等倍再生）。また、このときに撮影者によって十字カーソルボタン３２またはズーム拡大／縮小ボタン４４，４６を押圧操作されるとデジタルズーム処理が行なわれ、拡大枠が付加された画像データがＬＣＤ２８にて表示される（再生ズーム機能）。
【００３２】
次に、このような構成のデジタルカメラ１０の作用について説明する。
【００３３】
はじめに、等倍撮影を行う場合を説明する。図３において、デジタルカメラ１０のモードスイッチ３０を撮影モードにして撮影が行われる。このとき、表示ボタン４２によってＬＣＤ２８の表示をオンとして（表示ボタン４２を押圧操作するごとにＬＣＤ２８を表示と非表示とで選択できる）ＬＣＤ２８にスルー動画を表示させれば、ＬＣＤ２８をファインダの用途として使用できる。
【００３４】
この状態のままシャッタボタン２２を押圧操作することで撮影が行われる。撮影者によって図２におけるシャッタボタン２２を「半押し」することで撮影レンズ１２による自動ピント合わせなどが行われ、「全押し」することで撮影が行われる。なお、自動ピント合わせなどについてはその説明を省略する。デジタル信号処理部５８では、デジタル処理が行われた画像の画像データをメモリ６０に出力し、この画像データがカードリーダ／ライタ装置６３によってメモリカード６４に書き込まれて保存される。
【００３５】
次に、デジタルズーム機能にてズーム撮影を行う場合を説明する。前述したように従来のデジタルカメラにおいては、デジタルズーム機能（または後述する再生ズーム機能）にて拡大させた画像をＬＣＤにて表示させると、拡大前の画像においてどの部分をどの程度拡大したのかが撮影者に把握できなかった。本発明は、このような場合であっても大きさ（ズーム倍率）を見た目で把握できるとともに、位置（ズーム中心位置）も容易に判断できるものである。以下、同図５乃至図７を用いて幾つかの実施の形態を示す。
【００３６】
図５には、ＬＣＤ２８によって表示されたＣＣＤ５２の全画素領域Ｐ（すなわち等倍撮影時のＬＣＤ２８の画像）を示す。はじめに撮影者による所望のデジタルズーム領域を、一点破線で示されたデジタルズーム領域Ｐ１と想定して説明する。なお、図５におけるデジタルズーム領域Ｐ１（Ｐ２）の破線は本説明で用いる想定領域であり、ＬＣＤ２８に表示されることはない。
【００３７】
はじめにズーム拡大ボタン４４（図３参照）を押圧操作してズーム倍率を変化させ、ＬＣＤ２８の画像を図５におけるデジタルズーム領域Ｐ１と略等しくする。ズーム拡大ボタン４４を１回のみ押圧操作すると、図４における操作基板７０からＣＰＵ５０に指示信号が出力され、ＣＰＵ５０からデジタル信号処理部５８に制御信号が出力されて、デジタル信号処理部５８にて画像データに対し、所定のデジタルズーム領域の画像を取り込むデジタルズーム処理が行われる。また、これに加えてデジタル信号処理部５８にて、画像データに拡大枠が付加される。取り込まれたデジタルズーム領域の画像に拡大枠の画像が付加された画像データが表示メモリ６６に出力され、ＬＣＤ２８一杯に拡大されて表示される。
【００３８】
ズーム拡大ボタン４４を押圧し続けるか、繰り返してズーム拡大ボタン４４を押圧操作することで、前述したデジタル処理などが連続して行なわれ、ＬＣＤ２８に表示される画像を、図５におけるデジタルズーム領域Ｐ１内の画像と略等しくできる（図６参照）。なお、ズーム縮小ボタン４６を押圧操作することで、デジタル信号処理部５８では、前記デジタル処理された画像データより所定のズーム倍率だけ広い画像をデジタルズーム領域の画像として全画素領域から取り込むので、ズーム倍率の微調整が可能である。
【００３９】
図６に示すように、ＬＣＤ２８にはデジタルズーム領域の画像とともに、拡大枠Ｌ１が表示されている。この拡大枠Ｌ１は、ＬＣＤ２８の表示画面をＣＣＤ５２の全画素領域と想定したときに、デジタルズーム領域の相対位置を示す。すなわち、拡大枠Ｌ１と、ＬＣＤ２８の表示画面に表示される画像とを比較することで、撮影者はＣＣＤにて取り込まれた全画素領域Ｐ（図５参照）に対するデジタルズーム領域の相対位置を読み取れる。これにより、拡大率（ズーム倍率）を見た目で把握できるとともに、拡大位置（ズーム中心位置）も容易に判断できる。
【００４０】
図６に示した画像の表示がＬＣＤ２８にてなされた後、この状態のままシャッタボタン２２を押圧操作することでズーム撮影が行われる。デジタル信号処理部５８では、デジタルズーム処理が行われた画像の画像データをメモリ６０に出力し（この画像データには拡大枠は付加されない）、この画像データがカードリーダ／ライタ装置６３によってメモリカード６４に書き込まれて記録される。
【００４１】
つぎに、図５において、撮影者による所望のデジタルズーム領域を、二点破線で示されているデジタルズーム領域Ｐ２とした場合を説明する。
【００４２】
はじめに、上述したようにズーム拡大ボタン４４（必要に応じてズーム縮小ボタン４６）を押圧操作して、図５におけるデジタルズーム領域Ｐ２のズーム倍率と略等しくする。
【００４３】
つぎにズーム中心位置を移動させる。十字カーソルボタン３２（図３参照）を押圧操作して、ＬＣＤ２８に表示される画像のズーム中心位置を同図の符号８２に相当する位置となるまで移動させる。すなわち、十字カーソルボタン３２の上／下／左／右キーを押圧操作することで、図４における操作基板７０からＣＰＵ５０に指示信号が出力され、これによりＣＰＵ５０からデジタル信号処理部５８に制御信号が出力されて、ズーム中心位置を対応する４方向（上、下、右、左）に移動できる。これにより、撮影者の所望の位置（すなわち符号８２の位置）をズーム中心位置として指定することができ、ＬＣＤ２８には符号８２を中心とした画像が表示される。なお、このようにズーム中心位置を移動させた後に再度、ズーム拡大ボタン４４（またはズーム縮小ボタン４６）を押圧操作して、ズーム倍率の微調整を行なうこともできる。デジタル信号処理部５８では、画像データに対するデジタル処理などが行われ、この画像データが表示メモリ６６に出力されて、図７に示すように拡大枠Ｌ２が付加された画像がＬＣＤ２８一杯に拡大されて表示される。
【００４４】
同図に示すように、拡大枠Ｌ２とＬＣＤ２８の表示画面に表示される画像とを比較することで、撮影者はＣＣＤにて取り込まれた全画素領域Ｐに対するズーム倍率を見た目で把握できるとともに、ズーム中心位置も容易に判断できる。
【００４５】
一方、ズーム再生機能では、すでに撮影され、メモリカード６４に記録された画像に対し、再生ズームを行なうことができる。モードスイッチ３０を再生モードとし、所定の操作によってメモリカード６４に記録されたいずれかの画像データの再生を指定すると、その画像データがメモリカード６４から読み取られ、ＬＣＤ２８にその画像が表示される（等倍再生）。
【００４６】
ここで、メモリカード６４から読み取られた画像を図５に示す画像（全領域）Ｐとし、撮影者の所望の再生ズーム領域をＰ１として再生ズーム機能を説明する。
【００４７】
はじめにズーム拡大ボタン４４（図３参照）を押圧操作して再生ズーム倍率を変化させ、ＬＣＤ２８の画像を図５における再生ズーム領域Ｐ１と略等しくする。ズーム拡大ボタン４４を押圧操作することで、図４におけるデジタル信号処理部５８にて、画像データに対して所定の再生ズーム領域の画像を取り込む再生ズーム処理が行われるとともに、画像データに拡大枠が付加される。取り込まれた再生ズーム領域の画像に拡大枠の画像が付加された画像データが表示メモリ６６に出力され、ＬＣＤ２８一杯に拡大されて表示される。なお、ズーム拡大ボタン４４に併せてズーム縮小ボタン４６を押圧操作することで、再生ズーム倍率の微調整が可能である。
【００４８】
図６に示すように、ＬＣＤ２８には再生ズーム領域の画像とともに、拡大枠Ｌ１が表示され、撮影者は記録媒体にて記録された画像の全領域Ｐに対する再生ズーム領域Ｐ１の相対位置を読み取れる。これにより、再生ズーム時においてもズーム倍率を見た目で把握できるとともに、ズーム中心位置も容易に判断できる。
【００４９】
この状態のままシャッタボタン２２（または、別途設けられた不図示の画像保存ボタンでもよい）を押圧操作することで、再生ズーム領域の保存が行われる。デジタル信号処理部５８では、再生ズーム処理が行われた画像の画像データをメモリ６０に出力し（この画像データには拡大枠は付加されない）、この画像データがカードリーダ／ライタ装置６３によってメモリカード６４に新たに書き込まれて記録される。これにより、別途パソコンなどを用いた画像データの加工作業を不要にできる。
【００５０】
つぎに、図５において、撮影者による所望の再生ズーム領域を、二点破線で示されている再生ズーム領域Ｐ２とした場合を説明する。
【００５１】
はじめに、上述したようにズーム拡大ボタン４４（必要に応じてズーム縮小ボタン４６）を押圧操作して、図５における再生ズーム領域Ｐ２のズーム倍率と略等しくする。
【００５２】
つぎに、再生ズームのズーム中心位置を、十字カーソルボタン３２（図３参照）を押圧操作して、ＬＣＤ２８に表示される画像のズーム中心位置を同図の符号８２に相当する位置となるまで移動させる。デジタル信号処理部５８にて画像データに対するデジタル処理などが行われ、図７に示すように拡大枠Ｌ２が付加された画像がＬＣＤ２８一杯に拡大されて表示される。これにより、撮影者の所望の位置をズーム中心位置として指定することができ、ＬＣＤ２８には符号８２を中心とした画像が表示される。
【００５３】
このように、再生ズーム機能においても、拡大枠Ｌ２とＬＣＤ２８の表示画面に表示される画像とを比較することで、撮影者はメモリカード６４から読み取られた全画素領域の画像に対するズーム倍率を見た目で把握できるとともに、ズーム中心位置も容易に判断できる。
【００５４】
この状態のままシャッタボタン２２（または、不図示の画像保存ボタン）を押圧操作することでも、再生ズーム領域の保存が行われ、別途パソコンなどを用いた画像データの加工作業を不要にできる。
【００５５】
ここで、ＬＣＤ２８の表示画面のアスペクト比（すなわち縦横比）と、拡大枠Ｌ１（Ｌ２）のアスペクト比は、本実施の形態では同一比率としているが、これに限らず、不図示のアスペクト比可変ボタン（例えば十字カーソルボタン３２と同様に４方向の指示入力を行って、撮影者の操作によってアスペクト比を可変できる）などを別途設けて、ズーム領域Ｐ１（Ｐ２）を撮影者の所望のアスペクト比に変更可能としてもよい。
【００５６】
また、上述した実施の形態において、ズーム拡大／縮小ボタン４４，４６を用いてズーム倍率（再生ズーム倍率）を指定した後に十字カーソルボタン３２によってズーム中心位置（再生ズーム中心位置）を指定したが、これに限ることなく、ズーム倍率の指定後にズーム中心位置を指定してもよく、これら順番は問わない。なお、この際にＬＣＤ２８における全画素領域Ｐ以外の部分は、画像デジタルデータが存在せず、表示対象から除外されているため、この部分には、黒、青などの背景色が施される。
【００５７】
また、図６または図７に示したＬＣＤ２８に表示される画像において、シャッタボタン２２（または不図示の画像保存ボタン）を押圧してこの画像をメモリカード６４に保存した後でも、再度、ズーム拡大／縮小ボタン４４，４６および十字カーソルボタン３２を操作して、ズーム倍率およびズーム中心位置を再指定することもできる。
【００５８】
なお、前述した実施の形態に示したデジタルカメラの構成は、前記実施の形態に限定されるものではない。例えば、図６（図７）に示したＬＣＤ２８の画像は、図５に示した全画素領域（再生ズーム時には全領域）Ｐと、所定の操作ボタンによって切り換えられるようにしておくと好適である。例として、表示切換え用の特別な操作ボタンを設けて、この操作ボタンを押している間だけズーム領域（再生ズーム時には再生ズーム領域）Ｐ１の画像（図６）となるようにし、操作ボタンを放すと全画素領域Ｐ（図５）となるようにしてもよい。また、この操作ボタンを押す毎に全画素領域Ｐ、ズーム領域Ｐ１の画像、およびズーム領域Ｐ２の画像（図７）を、夫々切り換えられるようにしてもよい。また、特別な操作ボタンを設けるのではなく、シャッタボタン２２が押されていないときには全画素領域Ｐを表示し、シャッタボタン２２が半押しされるとズーム領域Ｐ１の画像に切り換わるようにしてもよい。また、上述した表示ボタン４２（図３参照）を流用して、表示ボタン４２を一回押すとＬＣＤ２８の非表示から全画素領域Ｐに切り換わり、もう一回押すとズーム領域Ｐ１の画像に切り換わり、さらにもう一回押すとズーム領域Ｐ２の画像に切り換わり、またさらに押すとＬＣＤ２８の非表示に切り替わるようにしてもよい。
【００５９】
また、本実施の形態では、撮影ズーム時において、撮影前にＬＣＤ２８にて画角を決定したが、これに限らず、シャッタボタン２２を「全押し」して画像を取り込んだ後、その画像をメモリカード６４に記録する前にＬＣＤ２８に表示させて、撮影者によってデジタルズーム領域を指定したら、その画像のみをメモリカード６４に記録するようにしてもよい。
【００６０】
また、メモリカード６４に画像データを記録する際に、その画像の画像サイズなどを情報としてメモリカード６４に記録するようにしてもよい。
【００６１】
なお、撮像素子としてＣＣＤ５２に代えてＣＭＯＳイメージセンサーを用いた場合には、ＣＭＯＳイメージセンサーの画素領域にて信号電荷に変換する領域を指定することができるので、全画素領域を取り込む必要がなく、画像の取り込みに用いられる電力量を節約できる。
【００６２】
また、上述した実施の形態では、デジタルカメラにおいて本発明を適用した場合について説明したが、本発明は、撮像素子によって電気信号で画像を取得するデジタルカメラ全てに適用できるので、レンズ交換が可能なデジタルカメラとしてレフレックスデジタルカメラ（一眼レフデジタルカメラ）にも適用できる。
【００６３】
【発明の効果】
以上、説明した本発明に係るデジタルカメラによれば、撮影時にデジタルズーム領域の大きさおよび位置を示す拡大枠を表示手段に表示することで、撮影者は撮像素子（ＣＣＤ）にて取り込まれた全画素領域の画像に対するズーム倍率を見た目で把握できるとともに、ズーム中心位置も容易に判断できる。
また、再生時に再生ズーム領域の大きさおよび位置を示す拡大枠を表示手段に表示することで、撮影者は記録媒体に記録された全領域の画像に対する再生ズーム倍率を見た目で把握できるとともに、ズーム中心位置も容易に判断できる。
【００６４】
さらに、ズーム中心位置を指示するズーム中心位置指示手段が設けられているデジタルカメラにおいて、再生時に再生ズーム領域の大きさおよび位置を示す拡大枠を表示手段に表示することで、撮影者は記録媒体に記録された画像の全領域の画像に対する再生ズーム倍率を見た目で把握できるとともに、ズーム中心位置も容易に判断できる。
【図面の簡単な説明】
【図１】本発明の実施形態に係るデジタルカメラの外観を示した正面図。
【図２】本発明の実施形態に係るデジタルカメラの外観を示した平面図。
【図３】本発明の実施形態に係るデジタルカメラの外観を示した背面図。
【図４】本発明の実施形態に係るデジタルカメラの内部構成を示したブロック図。
【図５】本発明の実施形態に係るデジタルカメラの液晶モニタ（等倍撮影時）を用いた作用の一形態を示す図。
【図６】本発明の実施形態に係るデジタルカメラの液晶モニタ（デジタルズーム時または再生ズーム時）を用いた作用の一形態を示す図。
【図７】本発明の実施形態に係るデジタルカメラの液晶モニタ（デジタルズーム時または再生ズーム時）を用いた別の作用の一形態を示す図。
【符号の説明】
１０…デジタルカメラ、２８…液晶モニタ（表示手段）、４４…ズーム拡大ボタン（ズーム倍率指示手段）、４６…ズーム縮小ボタン（ズーム倍率指示手段）、５２…ＣＣＤ（撮像素子）、５８…デジタル信号処理部（画像取り込み手段）、６４…メモリカード（記録媒体）、６６…表示メモリ（表示手段）、Ｌ１，Ｌ２…拡大枠、Ｐ…全画素領域、Ｐ１，Ｐ２…デジタルズーム領域（再生ズーム領域）
【図１】
2004023632.tif 000003
【図２】
2004023632.tif 000004
【図３】
2004023632.tif 000005
【図４】
2004023632.tif 000006
【図５】
2004023632.tif 000007
【図６】
2004023632.tif 000008
【図７】
2004023632.tif 000009